(57)【特許請求の範囲】
【請求項１】
サーバと該サーバに接続された端末とから構成されるデザインレビュー処理システムにおいて、
前記デザインレビューにおけるチェック対象項目に関する情報と、デザインレビュー工程に関する情報との組み合わせと、該デザインレビュー時にチェック対象となる参考資料の名称に関する情報とを関連付けて登録する、前記サーバが備えるマスタ管理部と、
前記デザインレビュー工程に関する情報と、前記チェック対象項目に関する情報との入力に応じて、前記参考資料の名称に関する情報を少なくとも含んだデザインシートを出力する、前記サーバが備えるプロジェクト管理部と、
を備えたことを特徴とするデザインレビュー処理システム。
【請求項２】
サーバと該サーバに接続された端末とから構成されデザインレビュー処理を実行させるためのプログラムを記録したコンピュータ読み取り可能な記録媒体において、
コンピュータに、
前記デザインレビューにおけるチェック対象項目に関する情報と、デザインレビュー工程に関する情報との組み合わせと、該デザインレビュー時にチェック対象となる参考資料の名称に関する情報とを関連付けて登録する、前記サーバが備えるマスタ手順と、
前記デザインレビュー工程に関する情報と、前記チェック対象項目に関する情報との入力に応じて、前記参考資料の名称に関する情報を少なくとも含んだデザインシートを出力する、前記サーバが備えるプロジェクト管理手順と、
を実行させるためのプログラムを記録したコンピュータ読み取り可能な記録媒体。
【発明の詳細な説明】
【０００１】
【発明の属する技術分野】
本発明は、商品開発工程の各工程に対応したデザインレビュー工程で設計・製造品質の向上のためにデザインレビュー対象の参考資料をベースにチェック対象項目のチェック内容のチェックを行うデザインレビュー処理システムおよびデザインレビュー処理プログラムを記録したコンピュータ読み取り可能な記録媒体に関する。
【０００２】
商品開発工程としては、商品企画、構想設計、基本設計、詳細設計、試作・評価、量産試作、量産、出荷などがあり、これに対応してデザインレビュー工程としては、構想デザインレビュー、基本デザインレビュー、設計デザインレビュー、量産デザインレビュー、反省会デザインレビューなどがあり、それぞれのデザインレビュー工程において、必要な情報を用いてデザインシートによりチェック内容のチェックを行い、設計、製造品質の向上を図っている。
【０００３】
このようなデザインレビュー処理においては、次工程へのチェック漏れがなく、精度良く、効率的に行うことが要望されている。
【０００４】
【従来の技術】
従来のデザインレビュー処理法においては、商品開発工程の各工程において、設計、製造、試験、輸送、据付、稼働、保全などにわたって、紙やワードプロセッサに記述された情報を用いてデザインレビューを行っていた。すなわち、商品開発工程に対応する構想デザインレビュー、基本デザインレビュー、詳細デザインレビュー、量産デザインレビュー、反省会デザインレビューの各デザインレビュー工程において、必要な情報として商品仕様書、商品保証計画書、ハードウェア設計資料、ファームウェア・ソフトウェア設計資料、その他の関連資料を紙やワードプロセッサで管理して、紙、ワードプロセッサによる固有形式のデザインシートを用いてチェックを行っていた。このため、デザインレビュー処理の管理が紙ベース、ワードプロセッサベースで行われ、必要な情報が個別に管理されていたため、リアルタイムでのチェック状況把握が困難であった。また、遠隔地の部門の人の情報提供は、ＦＡＸなどで実施していた。
【０００５】
【発明が解決しようとする課題】
しかしながら、従来のデザインレビュー処理方法にあっては、紙やワードプロセッサによる管理が行われているため、次のような問題点があった。
デザインチェック対象となる参考資料は、個別に管理されているため、チェック対象項目とデザインレビュー工程と関連付けされて管理されていないので、問題点との対応がわかりにくく、精度良くデザインレビュー処理を行うことができなかった。
【０００６】
また、デザインシートが紙ベース、ワードプロセッサベースで個別に管理されているため、チェック対象項目、デザインレビュー工程との関連付けがなく、チェック漏れも発生していた。
また、紙ベース、ワードプロセッサベースの管理において、コメント、不合格・合格項目を明記しても、レビュー結果の解析が十分でなく、レビュー結果の共有化も不十分であった。また、紙ベースであるため、参考資料などの関連者への配付はコピーで配付するため、セキュリティに問題があり、また、アクセス権限が明確でないため、漏洩の恐れがあった。さらに、設計情報管理システムや部品情報データベースシステムとの連携処理がないため、デザインレビュー処理を効率的に行うことができなかった。
【０００７】
本発明は、このような従来の問題点に鑑みてなされたものであって、設計精度を向上させ、チェック漏れを防止し、セキュリティを確保でき、漏洩がなく、遠隔地の部門の人の情報提供をリアルタイムに行い、効率的に行うことができるデザインレビュー処理システムおよびデザインレビュー処理プログラムを記憶した媒体を提供することを目的とする。
【０００８】
【課題を解決するための手段】
この目的を達成するために、本発明は、図１のように構成する。
請求項１の発明は、商品開発工程の各工程において必要な参考資料により必要な審査項目の評価を行うデザインレビュー処理システムにおいて、
ユーザ、開発工程名称、デザインレビュー工程名称、大分類・中分類・小分類よりなるチェック対象項目、デザインレビュー対象となる参考資料名称を設定処理する第１の設定処理手段４１と、
プロジェクト名称を設定処理する第２の設定処理手段４２と、
チェック内容、問題点、成績などの項目を有するデザインシートを設定処理する第３の設定処理手段４３と、
プロジェクト名称に対応するデザインレビュー工程を設定処理する第４の設定処理手段４４と、
デザインレビュー工程とチェック対象項目の大分類・中分類とを選択することで、デザインシートと参考資料を関連付けして設定処理する関連付け設定処理手段４５と、を備える。
【０００９】
請求項２の発明は、設定処理されたプロジェクト名称を選択処理する選択処理手段４６と、
開発工程の項目、開始・終了日およびデザインレビュー工程の項目、開始・終了日を入力して表示処理する第１の表示処理手段４７と、
デザインシートを表示して対応するデザインレビュー項目およびチェック対象項目を選択してチェック内容を入力して表示処理する第２の表示処理手段４８と、
表示されたチェック内容からデザインシートにコメント、合格・不合格判定を入力処理する入力処理手段４９と、を設けた。
【００１０】
請求項３の発明は、入力処理したレビュー結果を表示するための検索条件を設定処理する検索条件設定手段５０と、
検索条件の設定処理によりレビュー結果を表示処理する検索結果表示処理手段５１と、を設けた。
請求項４の発明は、デザインレビューの対象となる参考資料およびチェック対象項目のアクセス権限を設定処理するアクセス権限設定処理手段５２と、
レビュー結果、デザインレビュー工程、開発工程および参考資料の暗号化、デジタル、認証の処理を行う暗号化処理手段５３と、
暗号化など処理された各情報をデータベースに入力処理するデータベース入力処理手段５４と、を設けた。
【００１１】
請求項５の発明は、デザインレビュー対象となる参考資料およびチェック対象項目のアクセス権限を判定処理するアクセス権限判定処理手段５５と、
アクセス権限ありと判定処理されたとき、データベース内に暗号化など処理されている各情報の検索処理を行うデータベース検索処理手段５６と、
暗号化など処理されているレビュー結果、デザインレビュー工程、開発工程、および参考資料の復号化処理を行う復号化処理手段５７と、を設けた。
【００１２】
請求項６の発明は、商品開発工程の各工程において必要な参考資料により必要な審査項目の評価を行うデザインレビュー処理システムにおいて、
前記各工程ごとに必要なプロセスを定義するとともに時間軸管理で業務フローを設定処理するプロセス設定処理手段５８と、
各プロセスごとに入力情報を設定処理する入力情報設定処理手段５９と、
各プロセスごとに出力情報を設定処理する出力情報設定処理手段６０と、
プロセスごとに管理者を設定処理する管理者設定処理手段６１と、
各プロセスごとに関連する規定類を含む関連書類を設定処理する関連書類設定処理手段６２と、
業務フローに入力情報、出力情報、管理者、関連書類の関連付けを行う関連付け処理手段６２Ａと、
設定処理した各情報からデザインレビュー対象となる参考資料を圧縮処理する参考資料圧縮処理手段６３と、
圧縮処理した参考資料を解凍処理して参照表示の処理を行う参照表示処理手段６６と、を備える。
【００１３】
請求項７の発明は、部品情報データベースシステムからの部品情報を圧縮処理した参考資料に入力処理する部品情報入力処理手段６４を設けた。
請求項８の発明は、設計情報管理システムからの設計情報を圧縮処理した参考資料に入力処理する設計情報入力処理手段６５を設けた。
請求項９の発明は、商品開発工程の各工程において必要な参考資料により必要な審査項目の評価を行うための第１のデザインレビュー処理プログラムを記録した媒体において、コンピュータに、
ユーザ、開発工程名称、デザインレビュー工程名称、大分類・中分類・小分類よりなるチェック対象項目、デザインレビュー対象となる参考資料名称を含む情報を設定処理する第１の設定処理手段４１と、
プロジェクト名称を設定処理する第２の設定処理手段４２と、
チェック内容、問題点、成績を含む項目を有するデザインシートを設定処理する第３の設定処理手段４３と、
プロジェクト名称に対応するデザインレビュー工程を設定処理する第４の設定処理手段４４と、
デザインレビュー工程とチェック対象項目の大分類・中分類とを選択することでデザインシートと参考資料を関連付けして設定処理する関連付け設定処理手段４５と、
として機能させるための第１のデザインレビュー処理プログラムを記憶したコンピュータ読み取り可能な記録媒体よりなる。
【００１４】
請求項１０の発明は、第１のデザインレビュー処理プログラムを記録した媒体において、コンピュータに、
設定処理されたプロジェクト名称を選択処理する選択処理手段４６と、
開発工程の項目、開始・終了日およびデザインレビュー工程の項目、開始・終了日を入力して表示処理する第１の表示処理手段４７と、
デザインシートを表示して対応するデザインレビュー項目およびチェック対象項目を選択してチェック内容を入力して表示処理する第２の表示処理手段４８と、
表示されたチェック内容からデザインシートにコメント、合格・不合格判定を入力処理する入力処理手段４９と、
として機能させるための第１のデザインレビュー処理プログラムを記憶したコンピュータ読み取り可能な記録媒体よりなる。
【００１５】
請求項１１の発明は、第１のデザインレビュー処理プログラムを記録した媒体において、コンピュータに、
レビュー結果を表示するための検索条件を設定処理する検索条件設定手段５０と、
検索条件の設定処理によりレビュー結果を表示処理する検索結果表示処理手段５１と、
として機能させるための第１のデザインレビュー処理プログラムを記憶したコンピュータ読み取り可能な記録媒体よりなる。
【００１６】
請求項１２の発明は、第１のデザインレビュー処理プログラムを記録した媒体において、コンピュータに、
デザインレビューの対象となる参考資料およびチェック対象項目のアクセス権限を設定処理するアクセス権限設定処理手段５２と、
デザインレビュー判定結果、デザインレビュー工程、開発工程および参考資料の暗号化およびデジタル認証の処理を行う暗号化処理手段５３と、
暗号化など処理された各情報をデータベースに入力処理するデータベース入力処理手段５４と、
として機能させるための第１のデザインレビュー処理プログラムを記憶したコンピュータ読み取り可能な記録媒体よりなる。
【００１７】
請求項１３の発明は、第１のデザインレビュー処理プログラムを記録した媒体において、コンピュータに、
デザインレビュー対象となる参考資料およびチェック対象項目のアクセス権限を判定処理するアクセス権限判定処理手段５５と、
アクセス権限ありと判定処理されたとき、データベース内に暗号化など処理されている各情報の検索処理を行うデータベース検索処理手段５６と、
暗号化など処理されているデザインレビュー判定結果、デザインレビュー工程、開発工程、および参考資料の復号化処理を行う復号化処理手段５７と、
として機能させるための第１のデザインレビュー処理プログラムを記憶したコンピュータ読み取り可能な記録媒体よりなる。
【００１８】
請求項１４の発明は、商品開発工程の各工程において必要な参考資料により必要な審査項目の評価を行うための第２のデザインレビュー処理プログラムを記録した媒体において、コンピュータに、
前記各工程ごとに必要なプロセスを定義するとともに時間軸管理で業務フローを設定処理するプロセス設定処理手段５８と、
各プロセスごとに入力情報を設定処理する入力情報設定処理手段５９と、
各プロセスごとに出力情報を設定処理する出力情報設定処理手段６０と、
プロセスごとに管理者を設定処理する管理者設定処理手段６１と、
各プロセスごとに関連する規定類を含む関連書類を設定処理する関連書類設定処理手段６２と、
業務フローに入力情報、出力情報、管理者、関連書類の関連付けを行う関連付け処理手段６２Ａと、
設定処理した各情報からデザインレビュー対象となる希望資料を圧縮処理する参考資料圧縮処理手段６３と、
圧縮処理した参考資料を解凍処理して参照表示の処理を行う参照表示処理手段６６と、
として機能させるための第２のデザインレビュー処理プログラムを記憶したコンピュータ読み取り可能な記録媒体よりなる。
【００１９】
請求項１５の発明は、第２のデザインレビュー処理プログラムを記録した媒体において、コンピュータに、
部品情報データベースシステムからの部品情報を圧縮処理した参考資料に入力処理する部品情報入力処理手段６４
として機能させるための第２のデザインレビュー処理プログラムを記憶したコンピュータ読み取り可能な記録媒体よりなる。
【００２０】
請求項１６の発明は、第２のデザインレビュー処理プログラムを記録した媒体において、コンピュータに、
設計情報管理システムからの設計情報、障害履歴情報を含む情報を圧縮処理した参考資料に入力処理する設計情報入力処理手段６５
として機能させるための第２のデザインレビュー処理プログラムを記憶したコンピュータ読み取り可能な記録媒体よりなる。
【００２１】
このような構成を備えた本発明によれば、デザインレビュー工程とチェック対象項目との組み合わせにより、参考資料を関連付けするため、あるチェック対象項目とデザインレビュー工程を選択することで、参考資料が自動的に決定され、デザインレビュー処理を精度良く行うことができる。
あるデザインレビュー工程とチェック対象項目の中分類を選択してチェック内容を表示して、コメント、合格・不合格の判定を入力するため、チェック漏れを防止することができる。
【００２２】
検索条件を設定処理してレビュー結果を表示するため、レビュー結果の解析を行うことができ、情報の共有化を図ることができ、不具合事項に対応することができる。
また、デザインレビュー対象の参考資料などの暗号化処理、復号化処理を行うため、セキュリティを確保することができ、また、アクセス権限の明確化により漏洩、改ざんを防止することができる。
【００２３】
さらに、外部からの部品情報、設計情報、および障害履歴情報を含む情報を活用することができるため、デザインレビュー処理を効率良く行うことができる。
【００２４】
【発明の実施の形態】
図２（Ａ），（Ｂ）は本発明の一実施形態を示す全体構成図である。
図２（Ａ）は、共通部門の全体構成図、図２（Ｂ）は各部門の全体構成図である。
図２（Ａ）において、１はサーバであり、サーバ１には回線２を介して複数のパーソナルコンピュータよりなる端末３，４、部品情報を格納した部品情報データベースシステム５および設計情報の管理を行う設計情報管理システム６などがそれぞれ接続されている。
【００２５】
サーバ１にはネットワーク網７が接続され、サーバ１はネットワーク網７を介して各部門とそれぞれ接続されている。サーバ１には、例えばデータベース８，９，１０がそれぞれ接続されている。
データベース８内には、例えばマスタ管理情報、プロジェクト管理情報、レビュー結果情報、デザインレビュー対象となる参考資料情報などの情報が暗号化されて格納される。また、データベース８には構造化情報、所在情報などの情報も格納されている。
【００２６】
データベース９には、例えばプロセス定義情報、業務フロー情報、デザインレビュー対象の参考資料情報などの情報が圧縮されて格納されている。また、データベース１０内には、例えば部品情報データベースシステム５からの部品情報、設計情報管理システム６からの設計情報、および障害履歴情報などの情報が圧縮されて格納されている。
【００２７】
サーバ１内には後述する各種テーブル１１、第１のデザインレビュー処理プログラム１２および第２のデザインレビュー処理プログラム１３がそれぞれ格納されている。
図２（Ｂ）において、１４は各部門の回線１５に接続されたネットワーク網であり、ネットワーク網１４は、共通部門のネットワーク網７に接続されており、ネットワーク網７，１４を介して共通部門と各部門は情報の授受を行うことができるようになっている。
【００２８】
回線１５にはサーバ１６、複数のパーソナルコンピュータからなる端末１７，１８、部品情報データベースシステム１９および設計情報管理システム２０がそれぞれ接続されている。部品情報データベースシステム１９からの部品情報、設計情報管理システム２０からの設計情報は、共通部門のデータベース１０で圧縮処理される。
【００２９】
端末１７，１８は共通部門のサーバ１と通信することでデザインレビュー処理を実施することができる。したがって、遠隔地でデザインレビュー処理に参加することができる。なお、これらサーバ１，１６はｗｅｂ対応も行われている。
また、サーバ１６には必要な情報が格納されたデータベース２１が接続されており、サーバ１６が共通部門のサーバ１と同じ機能を有しているときは、端末１７，１８は各部門内でデザインレビュー処理を実施することができる。
【００３０】
図３は各種テーブル１１の構成例を示す図である。
図３において、各種テーブル１１は、ユーザテーブル２２、プロジェクトテーブル２３、プロジェクト詳細テーブル２４、工程（開発工程）管理テーブル２５、工程各種テーブル２６、工程詳細テーブル２７、参考資料各種テーブル２８、参考資料管理テーブル２９、参考資料テーブル３０、大分類テーブル３１、中分類テーブル３２、小分類テーブル３３、デザインシートテーブル３４、デザインシート管理テーブル３５およびデザイン工程（デザインレビュー工程）テーブル３６により構成されている。各種テーブル１１は、それぞれ相互に関連付けされて設けられている。
【００３１】
例えば、プロジェクトテーブル２３は、ユーザテーブル２２、工程管理テーブル２５、プロジェクト詳細テーブル２４およびデザインシート管理テーブル３５と関連付けられている。プロジェクトテーブル２３は、図４に示すように、プロジェクトコード、プロジェクト名称、工程管理コード、作成者、作成日、更新日、プロジェクト開始日、プロジェクト終了日か格納され、工程管理コードが工程管理テーブル２５と関連付けられ、作成者がユーザテーブル２２と関連付けられている。
【００３２】
図５はプロジェクト詳細テーブル２４を示し、プロジェクト詳細テーブル２４はプロジェクトコードがプロジェクトテーブル２３と関連付けられ、デザイン工程コードがデザイン工程テーブル３６と関連付けられている。
また、デザインシートテーブル３４は、デザインシート管理テーブル３５と小分類テーブル３３とに関連付けられている。デザインシートテーブル３４は、図６に示すように、プロジェクトコード、デザイン工程コード、シートコード、大分類コード、中分類コード、ユニークキーがデザインシート管理テーブル３５に関連付けられ、小分類コードが小分類テーブル３３に関連付けられている。
【００３３】
デザインシート管理テーブル３５は、図７に示すように、プロジェクトコード、作成者、承認者がプロジェクトテーブル２３に、デザイン工程コードがデザイン工程テーブル３６に、大分類コード、中分類コードが中分類テーブル３２に、それぞれ関連付けれられている。
また、参考資料テーブル３０は、参考資料管理テーブル２９およびデザインシート管理テーブル３５と関連付けれられている。参考資料テーブル３０は、図８に示すように、プロジェクトコード、デザイン工程コード、シートコード、大分類コード、小分類コードがデザインシート管理テーブル３５に関連付けられ、参考資料各種コードが参考資料管理テーブル２９に関連付けられている。
【００３４】
参考資料管理テーブル２９は、図９に示すように、デザインコードがデザイン工程テーブル３６に、大分類コード、中分類コードが中分類テーブル３２に、参考資料コードが参考資料各種テーブル２８に、それぞれ関連付けられている。このようにして、例えば参考資料が直ちに検索されて参照することができるようにしている。
【００３５】
図１０は第１のデザインレビュー処理プログラム１２の構成例を示す図である。
図１０において、サーバ１内に設けられた第１のデザインレビュー処理プログラム１２は、マスタ管理を行うマスタ管理部３７、プロジェクト管理を行うプロジェクト管理部３８、レビュー結果の検索処理を行う検索処理部３９およびセキュリティ管理を行うセキュリティ管理部４０により構成されている。
【００３６】
図１１はマスタ管理部３７の構成例を示す図である。
図１１において、マスタ管理部３７は、第１の設定処理手段として第１の設定処理部４１、第２の設定処理手段としての第２の設定処理部４２、第３の設定処理手段としての第３の設定処理部４３、第４の設定処理手段としての第４の設定処理部４４および関連付け設定処理手段としての関連付け設定処理部４５により構成される。
【００３７】
第１の設定処理部４１は、ユーザ、開発工程名称、デザインレビュー工程名称、大分類・中分類・小分類よりなるチェック対象項目、デザインレビュー対象となる参考資料名称を設定処理する。
ここで、開発工程は、一般的に図１６（Ａ）に示すように、商品企画、構想設計、基本設計、詳細設計、試作・評価、量産試作、量産、出荷よりなり、これらの開発工程に対応して構想デザインレビュー、基本デザインレビュー、詳細デザインレビュー、量産デザインレビュー、反省会デザインレビューが実施される。
【００３８】
デザインレビューは、図１６（Ｂ）に示すように各開発工程において、必要な情報を用いて、設計、製造、検索、ＴＭＰ、保守、新テクノロジ・部品、信頼性、原価の各審査項目に対して評価を行う。
図１７に示すように、デザインレビュー工程（ＤＲ０〜ＤＲ４）において、必要な情報としては、例えば商品仕様書、商品保証計画書、ハードウェア設計資料、ファームウェア・ソフトウェア設計資料、その他の関連資料が用いられ、また、デザインレビューの種類としては、自己、グループ、回覧、会議などがある。このようなデザインレビュー処理のために、まず、ユーザの登録を行う。ユーザの登録では、図１８に示すように、ユーザＩＤ、ユーザ名、権限、所属部署などを設定処理する。
【００３９】
ユーザの登録に続いて図１９に示すように、開発工程名称として、例えば基本設計、機能設計、プログラミング、テストなどをプロジェクトに関連して設定処理する。
開発工程名称に続いて、デザインレビュー工程名称として、例えばＤ０基本設計、Ｄ１機能設計、Ｄ２詳細設計、Ｄ３テストフェーズなどを設定処理する（図２１、参照）。
【００４０】
次に、チェック対象項目を設定処理するが、チェック対象項目は、大分類、中分類、小分類に分類される。大分類は、図２０に示すように、例えば携帯電話、システム開発などであり、中分類は基板、実装、シルク部品、極性、パターン、コストなどであり、小分類は、チェック内容、例えば「基板外周に座標が表示されているか」などである。続いて、デザインレビュー対象となる参考資料名称を設定処理する。参考資料としては、開発計画書、装置仕様書などがある（図２０、参照）。
【００４１】
図１１に戻り、第２の設定処理部４２は、プログラム名称を設定処理する。すなわち、プロジェクトコードと、プロジェクト名、例えばデジタル携帯電話を設定処理する。
第３の設定処理部４３は、チェック内容、問題点、成績などの項目を有するデザインレビューチェックシートとしてのデザインシートを設定処理する。例えば、図２０に示すように、シート番号、チェック内容、問題点、成績などを設定処理する。
【００４２】
第４の設定処理部４４は、プロジェクト名称に対応したデザインレビュー工程を設定処理する。プロジェクト名称に対応するデザインレビュー工程を定義する（図２２、参照）。
関連付け設定処理部４５は、デザインレビュー工程とチェック対象項目の大分類、中分類を選択することでデザインシートと参考資料を関連付けして設定処理する。参考資料は、各種仕様書、設計図面などの成果物よりなる。
【００４３】
例えば、図２１に示すように、大分類としてシステム開発を選択し、中分類として業務を選択し、対応するデザインレビュー工程としてＤ０基本設計を選択して、参考資料名称として業務機能構造図を関連付けして、データベース８に登録する。
こうして、デザインレビュー工程と中分類の組み合わせにより、参考資料が自動的に決定される。
【００４４】
図１２に戻り、第１のデザインレビュー処理プログラム１２のプロジェクト管理部３８は、選択処理手段としての選択処理部４６、第１の表示処理手段としての第１の表示処理部４７、第２の表示処理手段としての第２表示処理部４８および入力処理手段としての入力処理部４９により構成されている。
選択処理部４６は、プロジェクト名称を選択処理する。例えば、プロジェクト名として、デジタル携帯電話を選択処理する。
【００４５】
第１の表示処理部４７は、開発工程の項目、開始・終了日およびデザインレビュー工程の項目、開始・終了日を入力して表示処理する。例えば、図２２に示すように、開発工程およびデザインレビュー工程の各項目と、開始日、終了日がそれぞれ表示処理される。
第２の表示処理部４８は、チェックシートを表示してデザインレビュー工程およびチェック対象項目を選択してチェック内容を表示処理する。例えば、図２３に示すように、チェック対象項目の大分類、中分類を選択して、対応するデザインレビュー工程を選択することで、チェック内容が表示される。チェック内容としては例えばＮｏ．１〜Ｎｏ．７が表示される。
【００４６】
入力処理部４９は、表示されたチェック内容からデザインシートにコメント、合格、不合格判定を入力処理する。例えば、図２３に示すように、チェック内容Ｎｏ．１〜Ｎｏ．７に対して、参考資料を参照して、問題なし、問題あり、現状保留などを入力し、成績として合格、不合格、保留を入力する。
図１３に戻り、第１のデザインレビュー処理プログラム１２の検索処理部３９は、検索条件設定処理手段としての検索条件設定処理部５０と、検索結果表示処理手段としての検索結果表示処理部５１により構成されている。
【００４７】
検索条件設定処理部５０は、レビュー成果を表示する検索条件を設定処理する。例えば、図２４に示すように、デザインレビュー工程別、分類別、ステータス別（合格、保留、不合格）などの検索条件を設定する。
検索結果表示処理部５１は、検索条件の設定処理によりレビュー結果を表示処理する。例えば、図２５に示すようにプロジェクト名称、デザインレビュー工程名称、シート番号、大分類、中分類、小分類別に検索結果が表示される。
【００４８】
図１４に戻って、第１のデザインレビュー処理プログラム１２のセキュリティ管理部４０は、アクセス権限設定処理手段としてのアクセス権限設定処理部５２、暗号化処理手段としての暗号化処理部５３、データベース入力処理手段としてのデータベース入力処理部５４、アクセス権限判定処理手段としてのアクセス権限判定処理部５５、データベース検索処理手段としてのデータベース検索処理部５６および復号化処理手段としての復号化処理部５７により構成されている。
【００４９】
アクセス権限設定処理部５２は、デザインレビューの対象となる参考資料およびチェック対象項目にアクセスするアクセス権限を設定処理する。暗号化処理部５３は、レビュー結果、デザインレビュー工程、開発工程および参考資料の暗号化、デジタル認証の処理を行う。
データベース入力処理部５４は、暗号化などされた各情報をデータベース８に入力処理する。アクセス権限判定処理部５５は、デザインレビュー対象となる参考資料およびチェック対象項目に対するアクセスのアクセス権限を判定処理する。
【００５０】
データベース検索処理部５６は、アクセス権限ありと判定処理されたとき、データベース８内に暗号化など処理されている各情報の検索処理を行う。復号化処理部５７は、暗号化など処理されているレビュー結果、デザインレビュー工程、開発工程、および参考資料の復号化処理を行う。
図１５は、第２のデザインレビュー処理プログラム１３の構成例を示す図である。
【００５１】
図１５において、第２のデザインレビュー処理プログラム１３は、プロセス設定処理手段としてのプロセス設定処理部５８、入力情報設定処理手段としての入力情報設定処理部５９、出力情報設定処理手段としての出力情報設定処理部６０、管理者設定処理手段としての管理者設定処理部６１、関連書類設定処理手段としての関連書類設定処理部６２、関連付け処理手段としての関連付け処理部６２Ａ、参考資料圧縮処理手段としての参考資料圧縮処理部６３、部品情報入力処理手段としての部品情報入力処理部６４、設計情報入力処理手段としての設計情報入力処理部６５および参照表示処理手段としての参考表示処理部６６により構成されている。
【００５２】
プロセス設定処理部５８は、開発に必要なプロセスを定義するとともに時間軸管理で業務フローを設定処理する。例えば、図２６に示すように、プロセスを受付〜設計情報伝送、設計などに分類し、さらにＰＴ板物品表の設計、部品ライブラリ仮登録依頼、ＰＴ配線板コスト見積り依頼などのようにプロセスを定義し、ワークフローを設定処理するとともに、時間軸付き業務フローとして納期監視、警告機能、工数、期間などを設定処理する。
入力情報設定処理部５９は、各プロセスごとに入力情報を設定処理する。例えば、図２６に示すようにＰＴ板物品表の設計のプロセスでは、各種購入依頼書、デザインシートなどを入力情報として設定処理する。
【００５３】
出力情報設定処理部６０は、各プロセスごとに出力情報を設定処理する。例えば、図２６に示すようにＰＴ板物品表の設計のプロセスでは物品表（ＰＴユニット）などを出力情報として設定処理する。また、ＰＴ配線板の設計依頼のプロセスでは例えばパターン設計チェック結果が出力情報として設定処理される。
管理者設定処理部６１は、プロセスごとに管理者を設定処理する。例えば、図２６に示すように、各プロセスごとに管理者、責任者として例えばプロジェクトリーダ、担当者を設定処理する。
【００５４】
関連書類設定処理部６２は、各プロセスごとに関連する規定類を含む関連書類を設定処理する。例えば、図２６に示すように、関連書類としてＰＴ設計手順書、デザインシートなどを設定処理する。
関連付け処理部６２Ａは、業務フローに入力情報、出力情報、管理者、関連書類の関連付け処理を行う。こうして、各情報はそれぞれ関連付けされる。
【００５５】
参考資料圧縮処理部６３は、設定処理した各情報からデザインレビュー対象となる参考資料を圧縮処理する。
部品情報入力処理部６４は、部品情報データベースシステム５，１９からの部品情報を圧縮処理した参考資料に入力処理する。こうして、部品情報は、デザインレビュー対象の参考資料として圧縮処理される。
【００５６】
設計情報入力処理部６５は、設計情報管理システム６，２０からの設計情報を圧縮処理した参考資料に入力処理する。こうして、設計情報は、デザインレビュー対象の参考資料として圧縮処理される。
参照表示処理部６６は、圧縮処理した参考資料を解凍処理して参照表示の処理を行う。例えば、複数ファイル形式の図面などが参照表示され、これらの図面などを参照してデザインレビュー処理を行う。
【００５７】
次に、動作を説明する。
図２７および図２８は第１のデザインレビュー処理プログラム１２のマスタ管理部３７の処理を説明するフローチャートである。
まず、図２７において、ステップＳ１ではユーザの登録、更新、削除の処理を行う。例えば、図１８に示すように、ユーザＩＤ、ユーザ名、権限、所属部署などを設定処理する。
【００５８】
次に、ステップＳ２で開発工程名称の登録、更新、削除の処理を行う。例えば、図１９に示すように、基本設計、機能設計、プログラミング、テストなどを設定処理する。
次に、ステップＳ３でデザインレビュー工程名称の登録、更新、削除の処理を行う。デザインレビュー工程名称としては、例えばＤ０基本設計、Ｄ１機能設計、Ｄ２詳細設計、Ｄ３テストフェーズなどを設定処理する。また、ＢＲ（商品企画）、一次ＤＲ、ＤＦＭ、二次ＤＲ、三次ＤＲなどを設定処理する（図２２、参照）。
【００５９】
次に、ステップＳ４でチェック対象項目としての大分類の登録、更新、削除の処理を行う。例えば、図２０に示すように、携帯電話、システム開発などの設定処理を行う。次に、ステップＳ５でチェック対象項目としての中分類の登録、更新、削除の処理を行う。例えば、図２０に示すように、基板、実装、シルク部品、極性、パターン、コスト、性能などを設定処理する。
【００６０】
次に、ステップＳ６でチェック対象項目としての小分類の登録、更新、削除の処理を行う。例えば、図２０に示すようにチェック内容を設定処理する。チェック内容としては、例えば「基板の外周に座標が表示されているか」などの項目よりなる。
次にステップＳ７でデザインレビュー対象の参考資料のＮｏ．の登録、更新、削除の処理を行い、ステップＳ８で参考資料名称の登録、更新、削除の処理を行う。参考資料名称として、例えばＮｏ．１開発計画書、Ｎｏ．２装置仕様書などが設定処理される（図２０、参照）。
【００６１】
次に、図２８のステップＳ９でプロジェクトコードの登録、更新、削除の処理を行い、ステップＳ１０でプロジェクト名称、例えば携帯電話プロジェクトの登録、更新、削除の処理を行う。
次に、ステップＳ１１でプロジェクトに対応したデザインレビュー工程を関連付けて設定処理する。例えば、プロジェクトに対応するＤ０基本設計、Ｄ１機能設計、Ｄ２詳細設計、Ｄ３テストなどの登録、更新、削除の処理を行う。
【００６２】
次に、ステップＳ１２でデザインシートのシート番号の登録、更新、削除の処理を行い、ステップＳ１３でデザインシートの登録、更新、削除の処理を行う。例えば、図２０に示すように、シート番号を設定処理し、チェック内容、問題点、成績の項目よりなるデザインシートを設定処理する。
次に、ステップＳ１４でチェック対象項目の大分類と中分類を選択する。例えば、図２１に示すように、大分類としてシステム開発を選択し、中分類として業務を選択する。
【００６３】
次に、ステップＳ１５でデザインレビュー工程を選択する。例えば、図２１に示すようにＤ０基本設計を選択する。
ステップＳ１６ではデザインレビュー工程と中分類との組み合わせにより、デザインレビュー対象の参考資料名称の関連付けを行う。図２１に示すように、基板とＤ０基本設計との組み合わせにより、参考資料名称から業務機能構造図、業務フロー図が選択され、関連付けされて、ステップＳ１８でデータベース８に登録される。
【００６４】
このように、デザインレビュー工程とチェック対象項目の中分類との組み合わせにより、参考資料名称を関連付けして、参考資料名称が自動的に決定される。したがって、チェック対象項目のチェックを精度良く行うことができる。
図２９は第１のデザインレビュー処理プログラム１２のプロジェクト管理部３８の処理を説明するフローチャートである。
【００６５】
まず、ステップＳ２１でプロジェクト名称を選択処理する。次にステップＳ２２で開発工程の項目、開始・終了日を入力して表示し、ステップＳ２３でデザインレビューの項目、開始・終了日を入力して表示する。例えば、図２２に示すように、デザインレビュー工程ごとに開始日、終了日を入力して表示する。
次に、ステップＳ２４で登録してあるデザインシートを表示し、ステップＳ２５でデザインレビュー工程から一つのデザインレビュー工程を選択し、ステップＳ２６でチェック対象項目の中分類を選択すると、ステップＳ２７でデザインシートのチェック内容が表示される。例えば、図２３に示すように、デザインレビュー工程とチェック対象項目を選択すると、Ｎｏ．１〜Ｎｏ．７よりなるチェック内容が表示される。
【００６６】
次に、ステップＳ２８でチェック内容Ｎｏ．１〜Ｎｏ．７に対してそれぞれ問題あり、問題なし、保留などのコメントを入力し、また、成績として合格、不合格などを入力する。そして、ステップＳ２９でデータベース８にデザインシートを登録する。このようにデザインシートをデザインレビュー工程とチェック対象項目に関連付けして管理するため、チェック漏れを防止することができる。
【００６７】
次に、図３０は、第１のデザインレビュー処理プログラム１２の検索処理部３９の処理を説明するフロチャートである。
まず、ステップＳ３１でレビュー結果を表示するために、検索条件を設定処理する。例えば、図２４に示すように、例えばデザインレビュー工程、分類、合格、不合格別などに検索条件を設定処理する。
【００６８】
次に、ステップＳ３２で検索結果を表示する。例えば図２５に示すように、検索結果がプロジェクト名称、デザインレビュー工程名称、シート番号、大分類、中分類、小分類別に表示される。
このように、レビュー結果を解析することができ、レビュー結果の共有化を図ることができる。その結果、不具合事項に対処することができる。
【００６９】
図３１は、第１のデザインレビュー処理プログラム１１のセキュリティ管理部４０の処理を説明するフローチャートである。
まず、図３１（Ａ）のフローチャートについて説明する。図３１（Ａ）において、ステップＳ４１でデザインレビュー対象の参考資料に対してアクセスできるアクセス権限を権限レベル別に設定処理する。
【００７０】
次に、ステップＳ４２でチェック対象項目に対してアクセスするアクセス権限を権限レベル別に設定処理する。次にステップＳ４３でレビュー結果の暗号化処理を行い、秘匿化し、また、認証化を図る。
次に、ステップＳ４４でデザインレビュー工程、開発工程の暗号化処理を行って、秘匿化し、認証化を図る。次に、ステップＳ４５でデザインレビュー対象の参考資料の暗号化処理を行って、秘匿化し、また認証化を図る。次に、ステップＳ４６で暗号化した各情報をデータベース８に入力処理する。
【００７１】
次に、図３１（Ｂ）のフローチャートについて説明する。
図３１（Ｂ）において、ステップＳ４７でデザインレビュー対象の参考資料のアクセス権限についてアクセス可能と権限にレベル別に判定処理を行う。
次に、ステップＳ４８でチェック対象項目のアクセス権限についてアクセス可能か権限レベル別に判定処理を行う。アクセス可能と判定処理されたときは、ステップＳ４８でデータベース８の検索を行う。
【００７２】
次に、ステップＳ５０で暗号化など処理されたレビュー結果の復号化処理を行う。次に、ステップＳ５１で暗号化など処理されたデザインレビュー工程、開発工程の復号化処理を行う。次に、ステップＳ５２で暗号化など処理されたデザインレビュー対象の参考資料の復号化処理を行う。
このように、レビュー結果など各情報を暗号化、認証化の処理を行い、アクセスするときは復号化処理するため、外部に漏れることなく、安全性を確認することができる。また、アクセス権限を明確化しているため、情報の漏洩、改ざんを防止することができる。
【００７３】
図３２は、第２のデザインレビュー処理プログラム１３の処理を説明するフローチャートである。
図３２において、まず、ステップＳ６１で受付〜設計情報伝達から設計までプロセスを分類し、例えば設計ではＰＴ物品表の設計、部品ライブラリ仮登録依頼、ＰＴ配線板コスト見積り依頼、ＰＴ配線板の設計依頼、プリント回路板の設計などプロセスを定義し、ワークフローを設定処理するとともに、時間軸付け業務フローとして例えば納期監視、警告機能、工数、期間の設定処理を行う。
【００７４】
次に、ステップＳ６２でプロセスごとの入力情報の設定処理を行う。例えば、図２６に示すように、ＰＴ配線板の設計依頼、プリント回路板の設計のプロセスでは各種資料として配線板外形資料、設計条件資料、回路図参考資料、部品資料、各種フィルム資料などの入力情報の設定処理を行う。
次に、ステップＳ６２Ａで業務フローに入力情報、出力情報、管理者、関連書類の関連付け処理を行う。
【００７５】
次に、ステップＳ６３でプロセスごとに出力情報の設定処理を行う。例えば、図２６に示すように、ＰＴ配線板の設計依頼、プリント回路板の設計のプロセスでは、プリント板設計依頼票、パターン設計チェック結果、プリント配線板、パターン設計外注費用査定書、プリント板データ、総合板数表、物品表、キバンズ、実装用、パターン用などの各種製造図面などの出力情報の設定処理を行う。
【００７６】
次に、ステップＳ６４で責任者、管理者の設定処理を行う。例えば、図２６に示すように、プロセスごとにプロジェクトリーダ、担当者を設定処理する。
次に、ステップＳ６５で関連規定書、指導書などの関連書類を設定処理する。例えば、図２６に示すように、関連書類としてＰＴは設計手順書を設定処理する。次に、ステップＳ６６で前記各情報からデザインレビュー部分の参考資料を圧縮処理する。
【００７７】
次に、ステップＳ６７で部品情報データベースシステム５，１９からの部品情報を入力処理して、参考資料として圧縮処理する。次に、ステップＳ６８で設計情報管理システム６，２０からの設計情報を入力処理して参考資料として圧縮処理する。
次に、ステップＳ６９で圧縮処理した参考資料を解凍処理して、参照、表示する。例えば複数のファイル形式の図面参照表示を行って、デザインレビュー処理を行う。
【００７８】
このように、外部からの部品情報、設計情報および障害履歴情報などの情報を参照表示できるため、効率的にデザインレビュー処理を行うことができる。また、企業間での設計・製造委託業務の品質の向上を図ることができる。
【００７９】
【発明の効果】
以上説明してきたように、本発明によれば、電子化情報をベースとするためデザインレビュー工程とチェック対象項目との組み合わせにより、参考資料の関連付けを行い、デザインレビュー工程におけるあるチェック対象を選択すると、参考資料が自動的に決定され、デザインレビュー処理を精度良く行うことができる。
【００８０】
あるデザインレビュー工程とチェック対象項目の中分類を選択してチェック内容を表示して、コメント、合格、不合格の判定を入力するため、チェック漏れを防止することができ、次工程に対するチェック漏れをなくしたり、各チェック対象部門が並列にデザインレビューを行うことができる。
検索条件を設定処理してレビュー結果を表示するため、レビュー結果の解析を行うことができ、遠隔地部門および企業間での情報のリアルタイムの共有化を図ることができ、不具合事項に対応することができる。
【００８１】
また、デザインレビュー対象の参考資料などの暗号化、デジタル認証の処理、復号化処理を行うため、セキュリティを確保することができ、また、アクセス権限の明確化により漏洩、改ざんを防止することができる。
さらに、外部からの部品情報、設計情報、障害履歴情報などの情報を活用することができるため、デザインレビュー処理を効率良く行うことができる。
【図面の簡単な説明】
【図１】本発明の原理説明図
【図２】本発明の一実施形態を示す全体構成図
【図３】各種テーブルの関係を示す図
【図４】プロジェクトテーブルの構成図
【図５】プロジェクト詳細テーブルの構成図
【図６】デザインシートテーブルの構成図
【図７】デザインシート管理テーブルの構成図
【図８】参考資料テーブルの構成図
【図９】参考資料管理テーブルの構成図
【図１０】第１のデザインレビュー処理プログラムの構成図
【図１１】マスク管理部の構成図
【図１２】プロジェクト管理部の構成図
【図１３】検索処理部の構成図
【図１４】セキュリティ管理部の構成図
【図１５】第２のデザインレビュー処理プログラムの構成図
【図１６】デザインレビューの説明図
【図１７】デザインレビュー工程と必要情報の説明図
【図１８】ユーザ登録の画面を示す図
【図１９】開発工程名称登録の画面を示す図
【図２０】デザインシートを含む画面を示す図
【図２１】参考資料の関連付けの画面を示す図
【図２２】プロジェクト対応のデザインレビュー工程の画面を示す図
【図２３】コメント、判定入力の画面を示す図
【図２４】条件設定の画面を示す図
【図２５】検索結果の画面を示す図
【図２６】プロセス定義などの説明図
【図２７】マスク管理の処理を説明するフローチャート（その一）
【図２８】マスク管理の処理を説明するフローチャート（その二）
【図２９】プロジェクト管理の処理を説明するフローチャート
【図３０】検索処理を説明するフローチャート
【図３１】セキュリティ管理を説明するフローチャート
【図３２】第２のデザインレビュー処理プログラムを説明するフローチャート
【符号の説明】
１，１６：サーバ
２，１５：回線
３，４，１７，１８：端末
５，１９：部品情報データベースシステム
６．２０：設計情報管理システム
７，１４：ネットワーク網
８，９，１０，２１：データベース
１１：各種テーブル
１２：第１のデザインレビュー処理プログラム
１３：第２のデザインレビュー処理プログラム
２２：ユーザテーブル
２３：プロジェクトテーブル
２４：プロジェクト詳細テーブル
２５：工程管理テーブル
２６：工程各種テーブル
２７：工程詳細テーブル
２８：参考資料名称テーブル
２９：参考資料管理テーブル
３０：参考資料テーブル
３１：大分類テーブル
３２：中分類テーブル
３３：小分類テーブル
３４：デザインシートテーブル
３５：デザインシート管理テーブル
３６：デザイン工程テーブル
３７：マスタ管理部
３８：プロジェクト管理部
３９：検索処理部
４０：セキュリティ管理部
４１：第１の設定処理部（第１の設定処理手段）
４２：第２の設定処理部（第２の設定処理手段）
４３：第３の設定処理部（第３の設定処理手段）
４４：第４の設定処理部（第４の設定処理手段）
４５：関連付け設定処理部（関連付け設定処理手段）
４６：選択処理部（選択処理手段）
４７：第１の表示処理部（第１の表示処理手段）
４８：第２の表示処理部（第２の表示処理手段）
４９：入力処理部（入力処理手段）
５０：検索条件設定処理部（検索条件設定処理手段）
５１：検索結果表示処理部（検索結果表示処理手段）
５２：アクセス権限設定処理部（アクセス権限設定処理手段）
５３：暗号化処理部（暗号化処理手段）
５４：データベース入力処理部（データベース入力処理手段）
５５：アクセス権限判定処理部（アクセス権限判定処理手段）
５６：データベース検索処理部（データベース検索処理手段）
５７：復号化処理部（復号化処理手段）
５８：プロセス設定処理部（プロセス設定処理手段）
５９：入力情報設定処理部（入力情報設定処理手段）
６０：出力情報設定処理部（出力情報設定処理手段）
６１：管理者設定処理部（管理者設定処理手段）
６２：関連書類設定処理部（関連書類設定処理手段）
６２Ａ：関連付け処理部（関連付け処理手段）
６３；参考資料圧縮処理部（参考資料圧縮処理手段）
６４：部品情報入力処理部（部品情報入力処理手段）
６５：設計情報入力処理部（設計情報入力処理手段）
６６：参照表示処理部（参照表示処理手段）
【図１】
0003909613.tif 000002
【図２】
0003909613.tif 000003
【図３】
0003909613.tif 000004
【図４】
0003909613.tif 000005
【図５】
0003909613.tif 000006
【図６】
0003909613.tif 000007
【図７】
0003909613.tif 000008
【図８】
0003909613.tif 000009
【図９】
0003909613.tif 000010
【図１０】
0003909613.tif 000011
【図１１】
0003909613.tif 000012
【図１２】
0003909613.tif 000013
【図１３】
0003909613.tif 000014
【図１４】
0003909613.tif 000015
【図１５】
0003909613.tif 000016
【図１６】
0003909613.tif 000017
【図１７】
0003909613.tif 000018
【図１８】
0003909613.tif 000019
【図１９】
0003909613.tif 000020
【図２０】
0003909613.tif 000021
【図２１】
0003909613.tif 000022
【図２２】
0003909613.tif 000023
【図２３】
0003909613.tif 000024
【図２４】
0003909613.tif 000025
【図２５】
0003909613.tif 000026
【図２６】
0003909613.tif 000027
【図２７】
0003909613.tif 000028
【図２８】
0003909613.tif 000029
【図２９】
0003909613.tif 000030
【図３０】
0003909613.tif 000031
【図３１】
0003909613.tif 000032
【図３２】
0003909613.tif 000033